【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
撮影レンズを備えたレンズ鏡筒を装着可能であり、該装着された撮影レンズを介して撮影を行うカメラと、
前記カメラの上部に配置され、光を発するマスター照明装置と、
前記レンズ鏡筒の先端部周りの少なくとも一部に着脱可能なステージ部材と、
前記ステージ部材の外側壁に着脱可能に支持されており、受光部を有し、前記受光部を介して前記マスター照明装置からの光の受光に応じて光を発するリモート照明装置と、を含むカメラの照明システムであって、
前記ステージ部材の前記外側壁上に支持した前記リモート照明装置が、前記撮影レンズまたは前記カメラによって前記受光部に対する前記マスター照明装置からの光の入射が遮られる位置にある場合に、前記マスター照明装置からの光を前記受光部または前記受光部の方向に導くための導光部を、前記ステージ部材に設けたことを特徴とするカメラの照明システム。
【請求項２】
請求項１に記載のカメラの照明システムにおいて、
前記ステージ部材の前記導光部は、前記マスター照明装置から発せられた光の一部を該ステージ部材の所定表面からその内部に反射し、かつ該内部において全反射を繰り返しせしめた後に、該ステージ部材の前記所定表面とは異なる表面から前記受光部にまたは前記受光部の方向に射出せしめる導光路を含む、ことを特徴とするカメラの照明システム。
【請求項３】
請求項２に記載のカメラの照明システムにおいて、
前記導光部は、
前記導光部を覆う覆部材を含み、
前記覆部材の内面での全反射を繰り返して、前記マスター照明装置からの光を前記受光部または前記受光部の方向に導く
ことを特徴とするカメラの照明システム。
【請求項４】
請求項１から請求項３のいずれか１項に記載のカメラの照明システムにおいて、
前記ステージ部材は、前記レンズ鏡筒の先端部の全周に取り付けられる環状のステージ部材であり、
前記リモート照明装置は、前記環状のステージ部材の前記外側壁の任意位置に着脱可能であり、
前記ステージ部材の外壁のうち、前記カメラの筐体と対向する略全ての部分には、前記導光部が張設されていることを特徴とするカメラの照明システム。
【請求項５】
請求項１から請求項４のいずれか１項に記載のカメラの照明システムにおいて、
前記マスター照明装置は、赤外成分を含む閃光を発光し、
前記導光部は、前記閃光のうちの前記赤外線成分を、前記受光部または前記受光部の方向に導くことを特徴とするカメラの照明システム。
【請求項６】
請求項１から請求項５のいずれか１項に記載のカメラの照明システムにおいて、
前記導光部は、
前記導光路から前記受光部の方向とは異なる方向に対する前記マスター照明装置からの光の放射を抑える反射部材を含むことを特徴とするカメラの照明システム。
【請求項７】
請求項１から請求項６のいずれか１項に記載のカメラの照明システムにおいて、
前記ステージ部材の外壁のうち、前記カメラの筐体と対向する表面の一部には、前記マスター照明装置からの光を、前記受光部または前記受光部の方向に導くためのプリズムが、前記導光部の一部として設けられていることを特徴とするカメラの照明システム。
【請求項８】
光を発するマスター照明装置がその上部に配置されたカメラに装着可能な撮影レンズ鏡筒の、先端部周りの少なくとも一部に着脱可能であり、かつその外側壁にリモート照明装置を装着可能なステージ装置であって、
前記外側壁に設けられており、かつ、受光部で受光した前記マスター照明装置からの光に応じて光を発する前記リモート照明装置を着脱可能に支持する支持部と、
前記支持部に支持した前記リモート照明装置が、前記撮影レンズまたは前記カメラによって前記受光部に対する前記マスター照明装置からの光の入射が遮られる位置にある場合に、前記マスター照明装置からの光を前記受光部または前記受光部の方向に導くための導光部と、
を有することを特徴とする、リモート照明装置を装着可能なステージ装置。
【請求項９】
請求項８に記載の、リモート照明装置を装着可能なステージ装置において、
前記導光部は、前記マスター照明装置から発せられた光の一部を該ステージ部材の所定表面からその内部に反射し、かつ該内部において全反射を繰り返しせしめた後に、該ステージ部材の前記所定表面とは異なる表面から前記受光部にまたは前記受光部の方向に射出せしめる導光路を含む、ことを特徴とする、リモート照明装置を装着可能なステージ装置。
【請求項１０】
請求項９に記載の、リモート照明装置を装着可能なステージ装置において、
前記導光部は、
前記導光部を覆う覆部材を含み、
前記覆部材の内面での全反射を繰り返して、前記マスター照明装置からの光を前記受光部または前記受光部の方向に導き、
前記ステージ装置は、前記レンズ鏡筒の先端部の全周に取り付けられる環状のステージ装置であり、
前記リモート照明装置は、前記環状のステージ部材の前記外側壁の任意位置に着脱可能であり、
前記ステージ部材の外壁のうち、前記カメラの筐体と対向する略全ての部分には、前記導光部が張設されていることを特徴とする、リモート照明装置を装着可能なステージ装置。
【手続補正２】
【補正対象書類名】明細書
【補正対象項目名】発明の名称
【補正方法】変更
【補正の内容】
【発明の名称】カメラの照明システム、およびリモート照明装置を装着可能なステージ装置
【手続補正３】
【補正対象書類名】明細書
【補正対象項目名】０００４
【補正方法】変更
【補正の内容】
【０００４】
本発明にかかわる第１のカメラの照明システムは、カメラと、マスター照明装置と、ステージ部材と、リモート照明装置と、を含む。カメラは、撮影レンズを備えたレンズ鏡筒を装着可能であり、該装着された撮影レンズを介して撮影を行う。マスター照明装置は、カメラの上部に配置され、光を発する。ステージ部材は、レンズ鏡筒の先端部周りの少なくとも一部に着脱可能である。リモート照明装置は、ステージ部材の外側壁に着脱可能に支持されており、受光部を有し、受光部を介してマスター照明装置からの光の受光に応じて光を発する。また、ステージ部材の外側壁上に支持したリモート照明装置が、撮影レンズまたはカメラによって受光部に対するマスター照明装置からの光の入射が遮られる位置にある場合に、マスター照明装置からの光を受光部または受光部の方向に導くための導光部が、ステージ部材に設けられている。
【手続補正４】
【補正対象書類名】明細書
【補正対象項目名】０００５
【補正方法】変更
【補正の内容】
【０００５】
本発明にかかわる第２のカメラの照明システムは、第１のカメラの照明システムにおいて、ステージ部材の導光部は、マスター照明装置から発せられた光の一部を該ステージ部材の所定表面からその内部に反射し、かつ該内部において全反射を繰り返しせしめた後に、該ステージ部材の所定表面とは異なる表面から受光部にまたは受光部の方向に射出せしめる導光路を含む。
【手続補正５】
【補正対象書類名】明細書
【補正対象項目名】０００６
【補正方法】変更
【補正の内容】
【０００６】
本発明にかかわる第３のカメラの照明システムは、第２のカメラの照明システムにおいて、導光部は、導光部を覆う覆部材を含み、覆部材の内面での全反射を繰り返して、マスター照明装置からの光を受光部または受光部の方向に導く。
本発明にかかわる第４のカメラの照明システムは、第１から第３のカメラの照明システムにおいて、ステージ部材は、レンズ鏡筒の先端部の全周に取り付けられる環状のステージ部材であり、リモート照明装置は、環状のステージ部材の外側壁の任意位置に着脱可能であり、ステージ部材の外壁のうち、カメラの筐体と対向する略全ての部分には、導光部が張設されている。
【手続補正６】
【補正対象書類名】明細書
【補正対象項目名】０００７
【補正方法】変更
【補正の内容】
【０００７】
本発明にかかわる第５のカメラの照明システムは、第１から第４のカメラの照明システムにおいて、マスター照明装置は、赤外成分を含む閃光を発光し、導光部は、閃光のうちの赤外線成分を、受光部または受光部の方向に導く。
本発明にかかわる第６のカメラの照明システムは、第１から第５のカメラの照明システムにおいて、導光部は、導光路から受光部の方向とは異なる方向に対するマスター照明装置からの光の放射を抑える反射部材を含む。
【手続補正７】
【補正対象書類名】明細書
【補正対象項目名】０００８
【補正方法】変更
【補正の内容】
【０００８】
本発明にかかわる第７のカメラの照明システムは、第１から第６のカメラの照明システムにおいて、ステージ部材の外壁のうち、カメラの筐体と対向する表面の一部には、マスター照明装置からの光を、受光部または受光部の方向に導くためのプリズムが、導光部の一部として設けられている。
本発明にかかわる第８のリモート照明装置を装着可能なステージ装置は、光を発するマスター照明装置がその上部に配置されたカメラに装着可能な撮影レンズ鏡筒の、先端部周りの少なくとも一部に着脱可能であり、かつその外側壁にリモート照明装置を装着可能なステージ装置である。このステージ装置は、外側壁に設けられており、かつ、受光部で受光したマスター照明装置からの光に応じて光を発するリモート照明装置を着脱可能に支持する支持部と、支持部に支持したリモート照明装置が、撮影レンズまたはカメラによって受光部に対するマスター照明装置からの光の入射が遮られる位置にある場合に、マスター照明装置からの光を受光部または受光部の方向に導くための導光部と、を有する。
【手続補正８】
【補正対象書類名】明細書
【補正対象項目名】０００９
【補正方法】変更
【補正の内容】
【０００９】
本発明にかかわる第９のリモート照明装置を装着可能なステージ装置は、第８のステージ装置において、導光部は、マスター照明装置から発せられた光の一部を該ステージ部材の所定表面からその内部に反射し、かつ該内部において全反射を繰り返しせしめた後に、該ステージ部材の所定表面とは異なる表面から受光部にまたは受光部の方向に射出せしめる導光路を含む。
【手続補正９】
【補正対象書類名】明細書
【補正対象項目名】００１０
【補正方法】変更
【補正の内容】
【００１０】
本発明にかかわる第１０のリモート照明装置を装着可能なステージ装置は、第９のステージ装置において、導光部は、導光部を覆う覆部材を含み、覆部材の内面での全反射を繰り返して、前記マスター照明装置からの光を前記受光部または前記受光部の方向に導く。また、ステージ装置は、レンズ鏡筒の先端部の全周に取り付けられる環状のステージ装置であり、リモート照明装置は、環状のステージ部材の外側壁の任意位置に着脱可能であり、ステージ部材の外壁のうち、カメラの筐体と対向する略全ての部分には、導光部が張設されている。
【手続補正１０】
【補正対象書類名】明細書
【補正対象項目名】００１６
【補正方法】変更
【補正の内容】
【００１６】
マスター閃光装置１２は、カメラ１０および撮影レンズ１１を用いた撮影に際して、赤外線成分を含む閃光（以下、「第一の閃光」という。）を発する。このような第一の閃光は、撮影レンズ１１によって遮られるために、リモート閃光装置１５の受光部１５ｗに直接は到達しない。
しかし、部材１４ＬＧの一部は、上述した第一の閃光が直接照射される領域（図３(1))に位置する。部材１４ＬＧの内部では、このようにして直接照射された第一の閃光の成分の内、上述した赤外線成分の一部が入射し、かつ全反射を繰り返す（図３(2))。さらに、このようにして全反射が繰り返された赤外線成分の一部は、部材１４ＬＧの表面からリモート閃光装置１５の受光部１５ｗの方向に導かれる（図３(3))。